(57)【要約】【課題】弁動作に伴う圧力脈動、振動、騒音等のオーバーオール値を抑制できるパージバルブを提供する。【解決手段】パージバルブは、電磁ソレノイド部に対して電圧を印加する電圧オン時間と電圧を印加しない電圧オフ時間とを交互に繰り返す駆動波形によって通電状態を制御する制御装置を備える。制御装置は、電圧オン時間ＴＯＮに対する、直前の電圧オフ時間ＴＡと直後の電圧オフ時間ＴＢとを異ならせるように、電磁ソレノイド部への通電状態を制御する。パージバルブは、従来の通電制御に比べて、エネルギが小さい減衰時間が長くなるような圧力変動の波形を実現することにより、圧力脈動、振動、騒音等のオーバーオール値を抑えることができる。【選択図】図４
2019060287.tif 000002
【特許請求の範囲】
【請求項１】
キャニスタ（１３）からエンジン（２）へ向けて流出する蒸発燃料が流通する燃料通路（１５３）を有するハウジング（１５０）と、
弁座（１５５）から離間して前記蒸発燃料の流通を許可する開状態と前記弁座に接触して前記蒸発燃料の流通を阻止する閉状態とに切り換えるように前記燃料通路を開閉する弁体（１５２）と、
前記弁体の前記開状態と前記閉状態とを切り換えるために、通電状態に応じて可動コア（１５１１）を軸方向に駆動する駆動力を発生する電磁ソレノイド部（１５１）と、
前記電磁ソレノイド部に対して電圧を印加する電圧オン時間と電圧を印加しない電圧オフ時間とを交互に繰り返す駆動波形によって通電状態を制御する制御装置（５０）と、
を備え、
前記制御装置は、前記電圧オン時間（ＴＯＮ）に対する、直前の前記電圧オフ時間（ＴＡ）と直後の前記電圧オフ時間（ＴＢ）とを異ならせるように、前記電磁ソレノイド部への通電状態を制御するパージバルブ。
【請求項２】
前記制御装置は、直前の前記電圧オフ時間（ＴＡ）と直後の前記電圧オフ時間（ＴＢ）のうち短い方の前記電圧オフ時間の前後において、前記燃料通路における圧力変動が減衰しないで連続して変動する圧力変動波形を発生させるように、前記電磁ソレノイド部への通電状態を制御する請求項１に記載のパージバルブ。
【請求項３】
前記制御装置は、直後の前記電圧オフ時間と直前の前記電圧オフ時間の比が３５以上になるように、前記電磁ソレノイド部への通電を制御する請求項１または請求項２に記載のパージバルブ。
【請求項４】
前記制御装置は、直後の前記電圧オフ時間と直前の前記電圧オフ時間の比が８０以上になるように、前記電磁ソレノイド部への通電を制御する請求項３に記載のパージバルブ。
【請求項５】
燃料を貯留する燃料タンク（１０）と、
前記燃料タンク内で発生する蒸発燃料が取り込まれると蒸発燃料を吸着し、当該吸着した蒸発燃料を脱離可能なキャニスタ（１３）と、
蒸発燃料の流量を制御する請求項１から請求項４のいずれか一項に記載のパージバルブ（１５）と、
前記パージバルブと前記キャニスタとを連結する配管（１４）と、
を備える蒸発燃料処理装置。
【請求項６】
前記配管は、連結部材（３１）を介して、車室（３０）を形成する車両部材（３）に連結されている請求項５に記載の蒸発燃料処理装置。
【発明の詳細な説明】
【技術分野】
【０００１】
この明細書における開示は、蒸発燃料の流量を制御するパージバルブおよび蒸発燃料処理装置に関する。
【背景技術】
【０００２】
特許文献１には、キャニスタ側からエンジンの吸気管側へ流れる蒸発燃料の流量を調整可能な電磁弁であるパージバルブが開示されている。
【先行技術文献】
【特許文献】
【０００３】
【特許文献１】特開２０１３−２４３９９号公報
【発明の概要】
【発明が解決しようとする課題】
【０００４】
蒸発燃料が流れる配管内には、パージバルブの開弁や閉弁の作動によって圧力変動が発生しうる。この圧力変動が大きくなると、配管の振動、車両ボディ等の振動を引き起こし、車室内への騒音をもたらすことがある。
【０００５】
この明細書における開示の目的は、弁動作に伴う圧力脈動、振動、騒音等のオーバーオール値を抑制できるパージバルブおよび蒸発燃料処理装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示されたパージバルブのひとつは、キャニスタ（１３）からエンジン（２）へ向けて流出する蒸発燃料が流通する燃料通路（１５３）を有するハウジング（１５０）と、弁座（１５５）から離間して蒸発燃料の流通を許可する開状態と弁座に接触して蒸発燃料の流通を阻止する閉状態とに切り換えるように燃料通路を開閉する弁体（１５２）と、弁体の開状態と閉状態とを切り換えるために、通電状態に応じて可動コア（１５１１）を軸方向に駆動する駆動力を発生する電磁ソレノイド部（１５１）と、電磁ソレノイド部に対して電圧を印加する電圧オン時間と電圧を印加しない電圧オフ時間とを交互に繰り返す駆動波形によって通電状態を制御する制御装置（５０）と、を備え、制御装置は、電圧オン時間（ＴＯＮ）に対する、直前の電圧オフ時間（ＴＡ）と直後の電圧オフ時間（ＴＢ）とを異ならせるように、電磁ソレノイド部への通電状態を制御する。
【０００８】
このパージバルブによれば、制御装置は、電圧オン時間に対する、直前の電圧オフ時間と直後の電圧オフ時間とを異ならせる駆動波形によって、電磁ソレノイド部への通電状態を制御する。この通電制御によれば、直前の電圧オフ時間か直後の電圧オフ時間のいずれか短い方と電圧オン時間とによって、蒸発燃料の圧力変動が連続した大きな波形を示すようになる。さらにこの通電制御によれば、直前の電圧オフ時間か直後の電圧オフ時間のいずれか長い方において、蒸発燃料の圧力変動が連続的な大きな波形の後に減衰する時間を長くすることができる。このように従来に比べて、エネルギが小さい減衰時間が長くなるような圧力変動の波形を実現することにより、圧力変動に伴う圧力脈動、振動、騒音等のオーバーオール値を抑えることができる。このようにパージバルブは、弁動作に伴う振動、騒音等を抑制することができる。
【０００９】
開示された蒸発燃料処理装置のひとつは、燃料を貯留する燃料タンク（１０）と、燃料タンク内で発生する蒸発燃料が取り込まれると蒸発燃料を吸着し、当該吸着した蒸発燃料を脱離可能なキャニスタ（１３）と、蒸発燃料の流量を制御する前述のパージバルブ（１５）と、パージバルブとキャニスタとを連結する配管（１４）と、を備える。
【００１０】
この蒸発燃料処理装置によれば、前述のように従来に比べて、エネルギが小さい減衰時間が長くなるような圧力変動の波形を実現することにより、圧力変動に伴う圧力脈動、振動、騒音等のオーバーオール値を抑えることができる。圧力変動の減衰時間が長くなるような波形をもたらすことにより、配管の振動を抑制できるので、車両部材への振動伝播が抑えられ、車室の騒音を小さくすることができる蒸発燃料処理装置を提供できる。
【図面の簡単な説明】
【００１１】
【図１】第１実施形態のパージバルブを備えた蒸発燃料処理装置を示した図である。
【図２】パージバルブの作動時に配管内で発生する圧力変動と車室への騒音伝播との関係を説明するための概要図である。
【図３】比較例として従来のパージバルブにおける、通電制御と流路における圧力変動との関係を示したタイムチャートである。
【図４】第１実施形態のパージバルブにおける、通電制御と流路における圧力変動との関係を示したタイムチャートである。
【図５】第１実施形態のパージバルブにおける、オーバーオール値低減効果を説明するための実験結果である。
【発明を実施するための形態】
【００１２】
（第１実施形態）
第１実施形態について図１〜図５を参照しながら説明する。流量調整装置は、車両に搭載される蒸発燃料パージシステムである蒸発燃料処理装置１に用いられる。蒸発燃料処理装置１は、図１に示すように、キャニスタ１３に吸着した燃料中のＨＣガス等をエンジン２の吸気通路に供給し、燃料タンク１０からの蒸発燃料が大気に放出されることを防止する。蒸発燃料処理装置１は、内燃機関であるエンジン２の吸気通路を構成するエンジン２の吸気系と、蒸発燃料をエンジン２の吸気系に供給する蒸発燃料パージ系とを備えている。
【００１３】
エンジン２の吸気圧によって吸気通路に導入された蒸発燃料は、インジェクタ等からエンジン２に供給される燃焼用燃料と混合されて、エンジン２の燃焼室で燃焼される。エンジン２は少なくともキャニスタ１３から脱離された蒸発燃料と燃焼用燃料とを混合して燃焼する。エンジン２の吸気系は、吸気通路を構成する吸気管２１が吸気マニホールド２０に接続され、さらに吸気管２１の途中にスロットルバルブ２５、エアフィルタ２４等が設けられて構成されている。
【００１４】
蒸発燃料パージ系は、燃料タンク１０とキャニスタ１３がベーパ通路を構成する配管１１で接続され、キャニスタ１３と吸気管２１がパージ通路を構成する配管１４とパージバルブ１５とを介して接続されている。配管１４は、パージバルブ１５とキャニスタ１３とを連結する通路を構成する。配管１４は、車室３０を形成する車両部材３に複数の連結部材３１によってつながっており、車両部材３に支持されている。車両部材３は、車両の一部を構成し、例えば車室３０を形成する車両ボディや車両フレームである。
【００１５】
パージ通路の途中には、パージポンプを設けるようにしてもよい。エアフィルタ２４は、吸気管２１の上流部に設けられ、吸気中の塵や埃等を捕捉する。スロットルバルブ２５は、吸気マニホールド２０の入口部の開度を調節して、吸気マニホールド２０内に流入する吸気量を調節する吸気量調節弁である。吸気は、吸気通路を通過して吸気マニホールド２０内に流入し、インジェクタ等から噴射される燃焼用燃料と所定の空燃比となるように混合されて燃焼室で燃焼される。
【００１６】
燃料タンク１０は、例えばガソリン等の燃料を貯留する容器である。燃料タンク１０は、ベーパ通路を形成する配管１１によってキャニスタ１３の流入部に接続されている。キャニスタ１３は、内部に活性炭等の吸着材が封入された容器であり、燃料タンク１０内で発生する蒸発燃料を、ベーパ通路を介して取り入れて吸着材に一時的に吸着する。
【００１７】
キャニスタ１３には、バルブモジュール１２が一体に設けられている。バルブモジュール１２は、外部の新鮮な空気を吸入するための吸入部を開閉するキャニスタクローズバルブと、大気に対してガスを放出したり、大気を吸入したりすることが可能な内部ポンプと、が内蔵されている。キャニスタ１３がキャニスタクローズバルブを備えることにより、キャニスタ１３内に大気圧を作用させることができる。キャニスタ１３は、吸入された新鮮な空気によって吸着材に吸着した蒸発燃料を容易に脱離可能、すなわちパージすることができる。
【００１８】
パージバルブ１５は、パージ通路、すなわち、ハウジング１５０の内部に設けられた燃料通路１５３を開閉する弁体１５２を有する開閉装置であり、キャニスタ１３からの蒸発燃料をエンジン２へ供給することを許可および阻止できる。例えば、パージバルブ１５は、電圧が供給されていない通常時に燃料通路１５３を閉じた状態を維持する弁装置である。パージバルブ１５は、電圧が印加されていないときに燃料通路１５３を閉じる閉状態であり、電圧が印加されたときに燃料通路１５３を開く開状態に制御されるノーマルクローズ式の弁装置である。パージバルブ１５は、このように通電制御によって開状態と閉状態とが切り換わり、蒸発燃料処理装置１における蒸発燃料のパージ量を調整することができる。
【００１９】
図２は、パージバルブ１５の構成とパージバルブ１５の作動時に配管１４内で発生する圧力変動と車室３０への騒音伝播との関係を示している。図２に示すように、パージバルブ１５は、弁座１５５、弁体１５２、電磁ソレノイド部１５１等を備えている。電磁ソレノイド部１５１は、ヨーク、ボビン、コイル１５１０、固定コア、可動コア１５１１、電源供給用のコネクタ等を備えて構成されている。ヨーク、固定コア、可動コア１５１１等は、磁性材料によって形成されている。制御装置５０は、パージバルブ１５の電源供給部１５７に供給する供給電圧を制御することができる。電磁ソレノイド部１５１は、コネクタによってターミナル端子を、電源供給部１５７を介して制御装置５０に電気的に接続されていることにより、制御装置５０はコイル１５１０に通電する電流を制御できる。電源供給部１５７は、それ自体に蓄電されているバッテリ等の蓄電装置であってもよいし、外部から供給される電力を変換してまたは無変換の形態で電磁ソレノイド部１５１に供給する機能を有する装置でもよい。
【００２０】
電磁ソレノイド部１５１は、弁体１５２が弁座１５５から離間して流体の流通を許可する開状態と弁座１５５に接触して流体の流通を阻止する閉状態とを切り換えるために、弁体１５２と一体に変位する可動コア１５１１を軸方向に駆動する駆動力を発生する。閉状態で電磁ソレノイド部１５１のコイル１５１０に通電すると、ヨーク、可動コア１５１１、固定コア等により形成された磁気回路に磁束が発生する。この磁束に伴う磁力により、可動コア１５１１は固定コア側に向かって軸方向に吸引されることでスプリングの付勢力に抗して固定コア側に移動して、弁体１５２が弁座１５５から離間し、燃料通路１５３を開く開状態となる。
【００２１】
制御装置５０は、電磁ソレノイド部１５１のコイル１５１０に印加する電圧を制御する。制御装置５０は、例えば、印加電圧のオン時間とオフ時間とによって形成される１周期の時間に対するオン時間の比率、すなわちデューティ比を制御してコイル１５１０に対する通電状態を制御する。パージバルブ１５は、デューティコントロールバルブともいう。パージバルブ１５は、デューティ信号によって制御されるデューティ比を変更することにより、開弁量を連続的に制御することができる。この制御により、パージバルブ１５は燃料通路１５３を流通する蒸発燃料の流量（パージ量）を調節することができる。
【００２２】
パージバルブ１５のハウジング１５０には、キャニスタ１３側からの流体の供給を受ける入力ポート１５４と、エンジン２側への流体が流出する出力ポート１５６と、が設けられている。ハウジング１５０は、電磁ソレノイド部１５１、弁体１５２等を収容している。入力ポート１５４の内部に設けられた流入側通路は、キャニスタ１３に接続されている配管１４を介してキャニスタ１３に連通している。流入側通路は、燃料通路１５３や弁体１５２よりもキャニスタ１３側に位置する通路である。
【００２３】
制御装置５０は、少なくともひとつの演算処理装置（ＣＰＵ）と、プログラムとデータとを記憶する記憶媒体としての少なくともひとつのメモリ装置とを有する。制御装置５０は、例えばコンピュータによって読み取り可能な記憶媒体を備えるマイクロコンピュータによって提供される。記憶媒体は、コンピュータによって読み取り可能なプログラムを非一時的に格納する非遷移的実体的記憶媒体である。記憶媒体は、半導体メモリまたは磁気ディスクなどによって提供されうる。制御装置５０は、ひとつのコンピュータ、またはデータ通信装置によってリンクされた一組のコンピュータ資源によって提供されうる。プログラムは、制御装置５０によって実行されることによって、制御装置５０をこの明細書に記載される装置として機能させ、この明細書に記載される方法を実行するように制御装置５０を機能させる。
【００２４】
制御装置５０が提供する手段および／または機能は、実体的なメモリ装置に記録されたソフトウェアおよびそれを実行するコンピュータ、ソフトウェアのみ、ハードウェアのみ、あるいはそれらの組合せによって提供することができる。例えば、制御装置５０がハードウェアである電子回路によって提供される場合、それは多数の論理回路を含むデジタル回路、またはアナログ回路によって提供することができる。
【００２５】
パージバルブ１５の開閉動作は、エンジン２に供給する蒸発燃料の流量を調整するために重要な役割を果たしているが、配管１４内における圧力変動を大きくする起因になることがある。また、パージバルブ１５の開閉動作に伴って生じる圧力変動は、パージバルブ１５における調整可能な最大流量が大きいほど大きくなることもわかっている。したがって、パージバルブ１５の調整可能な流量値が大きいほど、パージバルブ１５とキャニスタ１３との間における圧力変動が大きくなり、この現象が車両における騒音の要因になっている。パージバルブ１５とキャニスタ１３とを接続する配管１４は、例えば連結部材３１によって車室３０の床下に連結されているので、配管１４の振動が連結部材３１を介して車両部材３に伝わりやすく、車室３０の騒音の要因になる。
【００２６】
図３は、比較例としての従来のパージバルブによる通電制御と流路における圧力変動との関係を示している。従来の通電制御は、電磁ソレノイド部に対して電圧を印加する電圧オン時間と電圧を印加しない電圧オフ時間とを交互に繰り返す駆動波形を形成するデューティ信号制御によって実行されている。この駆動波形は、一定の電圧オン時間ＴＯＮと一定の電圧オフ時間ＴＯＦＦとが交互に繰り返される波形である。つまり、電圧オン時間ＴＯＮに対する、直前の電圧オフ時間ＴＯＦＦと直後の電圧オフ時間ＴＯＦＦとは、同じ時間である。なお、図３に示す圧力変動の生波形は、実際の弁の動作が遅れるため、駆動波形に対して遅れるようにずれることになる。
【００２７】
このように規則的に電圧オン時間ＴＯＮと電圧オフ時間ＴＯＦＦとを繰り返す駆動波形によれば、配管内の圧力は、図３に示すように電圧オン時間ＴＯＮに伴って大きく変動し、その後の短い電圧オフ時間ＴＯＦＦの間に次第に減衰する。配管内の圧力は、次の電圧オン時間ＴＯＮに伴って再び大きく変動し、その後の短い電圧オフ時間ＴＯＦＦの間に次第に減衰することを繰り返すように変動する。このように、大きな圧力変動と短期間の変動減衰時間とが周期的に繰り返されるため、従来のパージバルブでは、圧力脈動、振動、騒音等のオーバーオール値が大きくなる。また、従来のパージバルブでは、電圧オン時間ＴＯＮと電圧オフ時間ＴＯＦＦの一周期における圧力変動量が大きくなり、車室３０等の騒音を引き起こしている。オーバーオール値は、全ての周波数帯域を含んだ音圧レベルの値である。周波数帯域毎の値は、配管、車両等のさまざまな部材等の影響を受けるため、オーバーオール値を用いて評価することが適切である。
【００２８】
このような点を鑑みて、この実施形態のパージバルブ１５は、開閉動作に関わる通電状態を図４に示す駆動波形のように制御することによって、圧力変動を抑制する機能を発揮する。図４は、この実施形態のパージバルブ１５が実施する通電制御と流路における圧力変動との関係を示している。パージバルブ１５による通電制御は、電磁ソレノイド部に対して電圧を印加する電圧オン時間と電圧を印加しない電圧オフ時間とを交互に繰り返す駆動波形を形成するデューティ信号制御によって実行されている。この駆動波形は、電圧オン時間ＴＯＮに対する、直前の電圧オフ時間ＴＡと直後の電圧オフ時間ＴＢとを異ならせるように制御した波形である。つまり、直前の電圧オフ時間ＴＯＦＦと直後の電圧オフ時間ＴＯＦＦとは、一方が他方に比べて長い時間となり、電圧オン時間ＴＯＮと次の電圧オン時間ＴＯＮとの間隔は、短い時間である場合と長い時間である場合とが交互に繰り返されることになる。
【００２９】
図４に示す例では、電圧オフ時間ＴＢが電圧オフ時間ＴＡに対して非常に長い時間に設定されている。なお、図４に示す圧力変動の生波形は、実際の弁の動作が遅れるため、駆動波形に対して遅れるようにずれることになる。
【００３０】
このように短い電圧オフ時間ＴＡと電圧オン時間ＴＯＮと長い電圧オフ時間ＴＢと電圧オン時間ＴＯＮとを繰り返す駆動波形によれば、配管内の圧力は、図４に示すように電圧オン時間ＴＯＮに伴って大きく変動し、その後の電圧オフ時間の間に減衰する。配管内の圧力は、短い電圧オフ時間ＴＡに対して前後する電圧オン時間ＴＯＮの両方で大きく変動し、その後の長い電圧オフ時間ＴＢの間に次第に減衰し変動ゼロに近づいていく。配管内の圧力は、次の電圧オン時間ＴＯＮで大きく変動し、短い電圧オフ時間ＴＡを挟んだ次の電圧オン時間ＴＯＮでも大きく変動し、その後の長い電圧オフ時間ＴＢの間に次第に減衰し変動ゼロに近づいていく。このように大きな圧力変動と長期間の変動減衰時間とが繰り返されるため、パージバルブ１５では、長い減衰期間の間に圧力変動のエネルギが小さい期間が長くなり、圧力脈動、振動、騒音等のオーバーオール値を下げることができる。
【００３１】
さらにパージバルブ１５では、長い減衰期間の間に圧力変動がゼロ近くにまで減衰するので、圧力脈動、振動、騒音等のオーバーオール値のさらなる抑制効果を奏するようになる。またパージバルブ１５では、圧力変動の長い減衰期間があるため、圧力脈動による騒音が不均一のリズムになることが図れ、車室３０の乗員に気づかれにくい騒音になるという効果を奏する。
【００３２】
図５には、パージバルブ１５によって得られるオーバーオール値低減効果を説明するために、発明者が実施した、パージバルブ１５による通電制御に関する実験結果を示している。図５に示す実験結果は、直後の電圧オフ時間ＴＢと直前の電圧オフ時間ＴＡの比（ＴＢ／ＴＡ）を１から１７１を超える値に含まれる複数の条件にした場合のそれぞれについてＴＢ／ＴＡ＝１である場合のオーバーオール値に対してどれだけ変動するかを調べたものである。つまり、図５において、ＴＢ／ＴＡ＝１でのオーバーオール値に対して、縦軸の値が１未満である条件は、配管１４内の圧力脈動を抑制する効果が確認できた条件である。
【００３３】
図５に示す実験結果によると、ＴＢ／ＴＡが１より大きく３５より小さい範囲に含まれる条件の中には、縦軸の値が１未満である実験結果を確認できた。これにより、電圧オン時間ＴＯＮに対する、直前の電圧オフ時間ＴＡと直後の電圧オフ時間ＴＢとを異ならせるような通電制御について、圧力脈動低減効果を確認することができる。
【００３４】
さらにＴＢ／ＴＡが３５以上である条件は、すべて縦軸の値が１未満である実験結果を確認できた。ＴＢ／ＴＡが３５よりも大きい条件では、ＴＢ／ＴＡが大きくなるにつれて縦軸の値がさらに小さくなっていく実験結果を確認できた。ＴＢ／ＴＡが８０以上になる条件では、ＴＢ／ＴＡが大きくなるにつれて縦軸の値が一定値に近づいていってほとんど変化しない実験結果を確認できた。
【００３５】
図４に示す通電制御の例では、ＴＢとＴＡの比は５９（ＴＢ／ＴＡ＝５９）に設定されている。パージバルブ１５は開閉動作に関わる通電状態をＴＢ／ＴＡ＝５９になるように制御することによって、図４に示す圧力変動を発生させている。図４に示す圧力変動は、まず電圧オン時間ＴＯＮによって圧力がゼロ付近から負のＰ１値に大きく変化した後、正のＰ２値に大きく変動する。そして、非常に短い電圧オフ時間ＴＡの後、次の電圧オン時間ＴＯＮによって圧力が正のＰ２値から負のＰ３値に大きく変動することになる。このとき電圧オフ時間ＴＡは非常に短いため、圧力は正のＰ２値からゼロに近づくように減衰することはなく、直後の電圧オン時間ＴＯＮによって再び負のＰ３値から正の値に大きく変動する。次の電圧オフ時間ＴＢはＴＡに対して非常に長いため、圧力はＴＢの間に徐々に変動幅が小さくなるように減衰してゼロに近づいていく。
【００３６】
制御装置５０は、パージバルブ１５内とキャニスタ１３との間の通路における圧力脈動等のオーバーオール値を下げるために、図４に示すような圧力変動波形が発生するように、コイル１５１０に対する通電状態を制御する。つまり、制御装置５０は、短い方の電圧オフ時間ＴＡの前後において燃料通路１５３を含む通路における圧力変動が減衰しないで連続して変動するような圧力変動波形を発生させるように、コイル１５１０に対する通電状態を制御する。
【００３７】
第１実施形態のパージバルブ１５がもたらす作用効果について説明する。パージバルブ１５は、キャニスタ１３からエンジン２へ向けて流出する蒸発燃料が流通する燃料通路１５３を有するハウジング１５０と、弁体１５２と、電磁ソレノイド部１５１とを備える。弁体１５２は、弁座１５５から離間して蒸発燃料の流通を許可する開状態と弁座１５５に接触して蒸発燃料の流通を阻止する閉状態とに切り換えるように燃料通路１５３を開閉する。電磁ソレノイド部１５１は、弁体１５２の開状態と閉状態とを切り換えるために、通電状態に応じて可動コア１５１１を軸方向に駆動する駆動力を発生する。パージバルブ１５は、電磁ソレノイド部１５１に対して電圧を印加する電圧オン時間と電圧を印加しない電圧オフ時間とを交互に繰り返す駆動波形によって通電状態を制御する制御装置５０を備える。制御装置５０は、電圧オン時間ＴＯＮに対する、直前の電圧オフ時間ＴＡと直後の電圧オフ時間ＴＢとを異ならせるように、電磁ソレノイド部１５１への通電状態を制御する。
【００３８】
パージバルブ１５に対する通電制御によれば、直前の電圧オフ時間ＴＡか直後の電圧オフ時間ＴＢのいずれか短い方と電圧オン時間ＴＯＮとによって、蒸発燃料の圧力変動が連続した大きな波形を示すようになる。さらにこの通電制御によれば、直前の電圧オフ時間ＴＡか直後の電圧オフ時間ＴＢのいずれか長い方において、蒸発燃料の圧力変動が連続的な大きな波形の後に長く減衰するようになる。これによれば、従来に比べて、エネルギが小さい減衰時間が長くなるような圧力変動の波形（圧力脈動ともいう）を実現することができるので、電圧オン時間と電圧オフ時間とを合わせた一周期全体としての圧力変動量の抑制も可能にする。この圧力変動量の抑制効果により、圧力変動に伴う圧力脈動、振動、騒音等のオーバーオール値を抑えることができる。パージバルブ１５は圧力変動量の低減を図ることができ、車室３０、車両部材３への振動伝播を抑える効果を奏する。
【００３９】
制御装置５０は、直前の電圧オフ時間ＴＡと直後の電圧オフ時間ＴＢのうち短い方の電圧オフ時間ＴＡの前後において、燃料通路１５３における圧力変動が減衰しないで連続して変動する圧力変動波形を発生させるように通電状態を制御することが好ましい。これによれば、長い方の電圧オフ時間ＴＢにおいて、エネルギが小さい減衰時間を十分に長く実施することができる。さらに図３に示すような圧力変動の短い減衰時間を発生させないようにして、その分長い減衰時間を発生させることにより、圧力変動に伴う圧力脈動、振動、騒音等のオーバーオール値を抑えることができる。
【００４０】
制御装置５０は、直後の電圧オフ時間ＴＢと直前の電圧オフ時間ＴＡの比（ＴＢ／ＴＡ）が３５以上になるように、電磁ソレノイド部１５１への通電を制御することが好ましい。これによれば、エネルギが小さい減衰時間が十分に長くなる圧力変動の波形を実現することができるので、電圧オン時間と電圧オフ時間とを合わせた一周期全体としての圧力変動量の抑制効果を十分に得ることができる。
【００４１】
制御装置５０は、直後の電圧オフ時間ＴＢと直前の電圧オフ時間ＴＡの比（ＴＢ／ＴＡ）が８０以上になるように、電磁ソレノイド部１５１への通電を制御することが好ましい。これによれば、エネルギが小さい減衰時間が十分に長くなる圧力変動の波形を実現することができるので、圧力変動がほぼゼロになる時間を長くできる。これにより、電圧オン時間と電圧オフ時間とを合わせた一周期全体としての圧力変動量の抑制効果を最大限に得ることができる。
【００４２】
蒸発燃料処理装置１は、燃料タンク１０と、吸着した蒸発燃料を脱離可能なキャニスタ１３と、パージバルブ１５とキャニスタ１３とを連結する配管１４と、配管１４内をエンジン２へ向けて流出する蒸発燃料の流量を制御する前述のパージバルブ１５とを備える。
【００４３】
この蒸発燃料処理装置１によれば、前述のように従来に比べて、エネルギが小さい減衰時間が長くなるような圧力変動の波形を実現できるので、圧力変動に伴う圧力脈動、振動、騒音等のオーバーオール値を抑えることができる。
【００４４】
配管１４が連結部材３１を介して車室３０を形成する車両部材３に連結されている。この場合には、蒸発燃料処理装置１は、配管１４の振動を抑制できるので、車両部材３への振動伝播が抑えられ、車室３０における騒音を小さくすることに寄与する。
【００４５】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００４６】
前述の実施形態において、制御装置５０は、通電の電圧オン時間と電圧オフ時間とによって形成される１周期の時間に対する電圧オン時間の比率、すなわちデューティ比を制御してパージバルブ１５に対して電力供給しているが、このような電力供給に限定されない。例えば、パージバルブ１５は、所定の電圧値が供給されているオン状態と電力が供給されていないオフ状態とのいずれかを計測値に応じて選定するオンオフ制御によって制御される構成でもよい。
【００４７】
明細書の開示の目的を達成可能なパージバルブは、ノーマルクローズ式の弁装置に限定されず、電圧が印加されたときに閉状態になり、電圧が印加されていないときに開状態に制御されるノーマルオープン式の弁装置であってもよい。
【００４８】
前述の実施形態において、制御装置５０は、電圧オン時間に対する、直前の電圧オフ時間と直後の電圧オフ時間とを異ならせるように、電磁ソレノイド部１５１への通電を制御しているが、このような波形に伴う通電制御に限定されない。制御装置５０は、電圧オフ時間に対する、直前の電圧オン時間と直後の電圧オン時間とを異ならせるように、電磁ソレノイド部１５１への通電を制御する構成でもよい。
【符号の説明】
【００４９】
２…エンジン、  ３…車両部材、  １０…燃料タンク、  １３…キャニスタ
１４…配管、  １５…パージバルブ、  ２１…吸気管（吸気通路）
３０…車室、  ３１…連結部材、  ５０…制御装置、  １５０…ハウジング
１５１…電磁ソレノイド部、  １５２…弁体、  １５３…燃料通路
１５５…弁座、  １５１１…可動コア
ＴＯＮ…電圧オン時間、  ＴＡ…直前の電圧オフ時間、  ＴＢ…直後の電圧オフ時間
【図１】
2019060287.tif 000003
【図２】
2019060287.tif 000004
【図３】
2019060287.tif 000005
【図４】
2019060287.tif 000006
【図５】
2019060287.tif 000007